(57)【要約】【課題】機体の左右方向の幅を拡大することなく刈取前処理装置の駆動方向を切り換える切換手段を備えたコンバインを提供する。発生を防止することができる切断処理室を備えた脱穀装置を提供する。【解決手段】刈取前処理装置（４）にエンジン（Ｅ）の回転を伝動する正転駆動装置（Ａ）と刈取前処理装置（４）にエンジン（Ｅ）の回転を逆転回転に変更して伝動する逆転駆動装置（Ｂ）からなる切換手段（２４）を設け、切換手段（２４）を脱穀装置（３）の前部の右側に形成された切欠空間（３０）に配置し、逆転駆動装置（Ｂ）を正転駆動装置（Ａ）の右側に配置ことにより解決される。【選択図】図５
2016182064.tif 000002
【特許請求の範囲】
【請求項１】
穀稈の脱穀選別処理を行なう脱穀装置（３）と、該脱穀装置（３）に刈り取られた穀稈を揚上搬送するフィーダハウス（４Ｄ）を有する刈取前処理装置（４）を備えたコンバインにおいて、
前記刈取前処理装置（４）にエンジン（Ｅ）の回転を伝動する正転駆動装置（Ａ）と刈取前処理装置（４）にエンジン（Ｅ）の回転を逆転回転に変更して伝動する逆転駆動装置（Ｂ）からなる切換手段（２４）を設け、該切換手段（２４）を脱穀装置（３）の前部の右側に形成された切欠空間（３０）に配置し、前記逆転駆動装置（Ｂ）を正転駆動装置（Ａ）の右側に配置したことを特徴とするコンバイン。
【請求項２】
前記逆転駆動装置（Ｂ）を、前記脱穀装置（３）にエンジン（Ｅ）の回転を伝動するギヤボックス（１５）に軸着されたカウンタ軸（１４）に装着された第１プーリ（１４Ａ）と、前記脱穀装置（３）の右壁に設けられた入力側支軸（２１）に装着された入力側プーリ（２１Ａ）と入力側ギヤ（２１Ｂ）と、該入力側支軸（２１）の下側に設けられた出力側支軸（２２）に装着された出力側プーリ（２２Ａ）と出力側ギヤ（２２Ｂ）と、前記フィーダハウス（４Ｄ）の後部に設けられた回転軸（２５）に装着された第２プーリ（２５Ａ）で形成し、前記第１プーリ（１４Ａ）と入力側プーリ（２１Ａ）に巻回された第１ベルト（１６）の下側に配置された第１テンションクラッチ（１６Ａ）によって、該第１ベルト（１６）を緊張状態と弛緩状態に切換える請求項１記載のコンバイン。
【請求項３】
前記出力側プーリ（２２Ａ）と第２プーリ（２５Ａ）に巻回された第２ベルト（１７）の下側に配置されたテンションアーム（１７Ｂ）によって、該第２ベルト（１７）を緊張状態に維持する請求項２記載のコンバイン。
【請求項４】
前記出力側プーリ（２２Ａ）と第２プーリ（２５Ａ）に巻回された第２ベルト（１７）の下側に配置された第２テンションクラッチ（１７Ａ）によって、該第２ベルト（１７）を緊張状態と弛緩状態に切換え、前記第１テンションクラッチ（１６Ａ）と第２テンションクラッチ（１７Ａ）を連結アーム（５０）で連結した請求項２記載のコンバイン。
【請求項５】
前記出力側ギヤ（２２Ｂ）の歯数を、入力側ギヤ（２１Ｂ）の歯数よりも２〜３倍多く形成した請求項２〜４のいずれか１項に記載のコンバイン。
【請求項６】
前記入力側プーリ（２１Ａ）を入力側ギヤ（２１Ｂ）の右側に配置し、前記出力側プーリ（２２Ａ）を出力側ギヤ（２２Ｂ）の右側に配置した請求項２〜５のいずれか１項に記載のコンバイン。
【請求項７】
前記正転駆動装置（Ａ）を、前記カウンタ軸（１４）に第１プーリ（１４Ａ）の左側に隣接して装着された第３プーリ（１４Ｂ）と、前記回転軸（２５）に第２プーリ（２５Ａ）の左側に隣接して装着された第４プーリ（２５Ｂ）で形成し、前記第３プーリ（１４Ｂ）と第４プーリ（２５Ｂ）に巻回された第３ベルト（１８）の前側に配置された第３テンションクラッチ（１８Ａ）によって、該第３ベルト（１６）を緊張状態と弛緩状態に切換え、前記第３テンションクラッチ（１８Ａ）は、前記第１テンションクラッチ（１６Ａ）と連動して切換えられる構成とした請求項２〜６のいずれか１項に記載のコンバイン。
【発明の詳細な説明】
【技術分野】
【０００１】
本発明は、脱穀装置の前側に刈取前処理装置を備えたコンバインに係るものである。
【背景技術】
【０００２】
従来、刈取前処理装置のフィーダハウスに詰まった穀稈を取り除くために、フィーダハウスを駆動する駆動軸を正回転と逆回転に切換える切換手段を備えるコンバインが知られている。（特許文献１，２）
【先行技術文献】
【特許文献】
【０００３】
【特許文献１】特開２０１３―２５２１００号公報
【特許文献２】特開２０１３―１０６５５６号公報
【発明の概要】
【発明が解決しようとする課題】
【０００４】
しかし、特許文献１に開示されたコンバインにおいては、脱穀装置の前側に横架されたカウンタ軸の左側部に切換手段の正回転駆動部を配置し、カウンタ軸の右側部に切換手段の逆回転駆動部を配置しているので、機体の左右方向の幅が大きくなる虞がある。また、特許文献２に開示されたコンバインにおいては、脱穀装置の前側に横架されたカウンタ軸の左側部に切換手段の正回転駆動部と逆回転駆動部を並設しているので、機体の左右方向の幅が大きくなり、また、切換手段を収納ケースが未刈取側に突出する虞がある。
そこで、本発明の主たる課題は、かかる問題点を解消することにある。
【課題を解決するための手段】
【０００５】
上記課題を解決した本発明は次記のとおりである。
請求項１に係る発明は、穀稈の脱穀選別処理を行なう脱穀装置（３）と、該脱穀装置（３）に刈り取られた穀稈を揚上搬送するフィーダハウス（４Ｄ）を有する刈取前処理装置（４）を備えたコンバインにおいて、
前記刈取前処理装置（４）にエンジン（Ｅ）の回転を伝動する正転駆動装置（Ａ）と刈取前処理装置（４）にエンジン（Ｅ）の回転を逆転回転に変更して伝動する逆転駆動装置（Ｂ）からなる切換手段（２４）を設け、該切換手段（２４）を脱穀装置（３）の前部の右側に形成された切欠空間（３０）に配置し、前記逆転駆動装置（Ｂ）を正転駆動装置（Ａ）の右側に配置したことを特徴とするコンバインである。
【０００６】
請求項２に係る発明は、前記逆転駆動装置（Ｂ）を、前記脱穀装置（３）にエンジン（Ｅ）の回転を伝動するギヤボックス（１５）に軸着されたカウンタ軸（１４）に装着された第１プーリ（１４Ａ）と、前記脱穀装置（３）の右壁に設けられた入力側支軸（２１）に装着された入力側プーリ（２１Ａ）と入力側ギヤ（２１Ｂ）と、該入力側支軸（２１）の下側に設けられた出力側支軸（２２）に装着された出力側プーリ（２２Ａ）と出力側ギヤ（２２Ｂ）と、前記フィーダハウス（４Ｄ）の後部に設けられた回転軸（２５）に装着された第２プーリ（２５Ａ）で形成し、前記第１プーリ（１４Ａ）と入力側プーリ（２１Ａ）に巻回された第１ベルト（１６）の下側に配置された第１テンションクラッチ（１６Ａ）によって、該第１ベルト（１６）を緊張状態と弛緩状態に切換える請求項１記載のコンバインである。
【０００７】
請求項３に係る発明は、前記出力側プーリ（２２Ａ）と第２プーリ（２５Ａ）に巻回された第２ベルト（１７）の下側に配置されたテンションアーム（１７Ｂ）によって、該第２ベルト（１７）を緊張状態に維持する請求項２記載のコンバインである。
【０００８】
請求項４に係る発明は、前記出力側プーリ（２２Ａ）と第２プーリ（２５Ａ）に巻回された第２ベルト（１７）の下側に配置された第２テンションクラッチ（１７Ａ）によって、該第２ベルト（１７）を緊張状態と弛緩状態に切換え、前記第１テンションクラッチ（１６Ａ）と第２テンションクラッチ（１７Ａ）を連結アーム（５０）で連結した請求項２記載のコンバインである。
【０００９】
請求項５に係る発明は、前記出力側ギヤ（２２Ｂ）の歯数を、入力側ギヤ（２１Ｂ）の歯数よりも２〜３倍多く形成した請求項２〜４のいずれか１項に記載のコンバインである。
【００１０】
請求項６に係る発明は、前記入力側プーリ（２１Ａ）を入力側ギヤ（２１Ｂ）の右側に配置し、前記出力側プーリ（２２Ａ）を出力側ギヤ（２２Ｂ）の右側に配置した請求項２〜５のいずれか１項に記載のコンバインである。
【００１１】
請求項７に係る発明は、前記正転駆動装置（Ａ）を、前記カウンタ軸（１４）に第１プーリ（１４Ａ）の左側に隣接して装着された第３プーリ（１４Ｂ）と、前記回転軸（２５）に第２プーリ（２５Ａ）の左側に隣接して装着された第４プーリ（２５Ｂ）で形成し、前記第３プーリ（１４Ｂ）と第４プーリ（２５Ｂ）に巻回された第３ベルト（１８）の前側に配置された第３テンションクラッチ（１８Ａ）によって、該第３ベルト（１６）を緊張状態と弛緩状態に切換え、前記第３テンションクラッチ（１８Ａ）は、前記第１テンションクラッチ（１６Ａ）と連動して切換えられる構成とした請求項２〜６のいずれか１項に記載のコンバインである。
【発明の効果】
【００１２】
請求項１記載の発明によれば、刈取前処理装置（４）にエンジン（Ｅ）の回転を伝動する正転駆動装置（Ａ）と刈取前処理装置（４）にエンジン（Ｅ）の回転を逆転回転に変更して伝動する逆転駆動装置（Ｂ）からなる切換手段（２４）を設け、切換手段（２４）を脱穀装置（３）の前部の右側に形成された切欠空間（３０）に配置し、逆転駆動装置（Ｂ）を正転駆動装置（Ａ）の右側に配置しているので、機体の左右方向の幅の拡大を防止でき、また、操縦者が容易に逆転駆動装置（Ｂ）を駆動することができる。
【００１３】
請求項２記載の発明によれば、請求項１記載の発明による効果に加えて、逆転駆動装置（Ｂ）を、脱穀装置（３）にエンジン（Ｅ）の回転を伝動するギヤボックス（１５）に軸着されたカウンタ軸（１４）に装着された第１プーリ（１４Ａ）と、脱穀装置（３）の右壁に設けられた入力側支軸（２１）に装着された入力側プーリ（２１Ａ）と入力側ギヤ（２１Ｂ）と、入力側支軸（２１）の下側に設けられた出力側支軸（２２）に装着された出力側プーリ（２２Ａ）と出力側ギヤ（２２Ｂ）と、フィーダハウス（４Ｄ）の後部に設けられた回転軸（２５）に装着された第２プーリ（２５Ａ）で形成し、第１プーリ（１４Ａ）と入力側プーリ（２１Ａ）に巻回された第１ベルト（１６）の下側に配置された第１テンションクラッチ（１６Ａ）によって、第１ベルト（１６）を緊張状態と弛緩状態に切換えるので、逆転駆動装置（Ｂ）の左右方向の幅を小さく形成することができ、また、逆転駆動装置（Ｂ）への切換えを容易に行うことができる。
【００１４】
請求項３記載の発明によれば、請求項２記載の発明による効果に加えて、出力側プーリ（２２Ａ）と第２プーリ（２５Ａ）に巻回された第２ベルト（１７）の下側に配置されたテンションアーム（１７Ｂ）によって、第２ベルト（１７）を緊張状態に維持しているので、第２ベルト（１７）のテンションの調整を行う必要が無く保守作業を軽減することができる。
【００１５】
請求項４記載の発明によれば、請求項２記載の発明による効果に加えて、出力側プーリ（２２Ａ）と第２プーリ（２５Ａ）に巻回された第２ベルト（１７）の下側に配置された第２テンションクラッチ（１７Ａ）によって、第２ベルト（１７）を緊張状態と弛緩状態に切換え、第１テンションクラッチ（１６Ａ）と第２テンションクラッチ（１７Ａ）を連結アーム（５０）で連結しているので、第２テンションクラッチ（１７Ａ）が第１テンションクラッチ（１６Ａ）と連動して移動し、逆転駆動装置（Ｂ）への切換えを確実に行うことができる。
【００１６】
請求項５記載の発明によれば、請求項２〜４記載のいずれか１項に記載の発明による効果に加えて、出力側ギヤ（２２Ｂ）の歯数を、入力側ギヤ（２１Ｂ）の歯数よりも２〜３倍多く形成しているので、入力側プーリ（２１Ａ）から出力側プーリ（２２Ａ）に伝動される回転を低速回転、且つ、高トルクに変換し、フィーダハウス（４Ｄ）等に詰まった穀稈を効率良くフィーダハウス（４Ｄ）から排出することができる。
【００１７】
請求項６記載の発明によれば、請求項２〜５記載のいずれか１項に記載の発明による効果に加えて、入力側プーリ（２１Ａ）を入力側ギヤ（２１Ｂ）の右側に配置し、出力側プーリ（２２Ａ）を出力側ギヤ（２２Ｂ）の右側に配置しているので、第１ベルト（１６）と第２ベルト（１７）の交換作業を容易に行うことができる。
【００１８】
請求項７記載の発明によれば、請求項２〜６記載のいずれか１項に記載の発明による効果に加えて、正転駆動装置（Ａ）を、カウンタ軸（１４）に第１プーリ（１４Ａ）の左側に隣接して装着された第３プーリ（１４Ｂ）と、前記回転軸（２５）に第２プーリ（２５Ａ）の左側に隣接して装着された第４プーリ（２５Ｂ）で形成し、第３プーリ（１４Ｂ）と第４プーリ（２５Ｂ）に巻回された第３ベルト（１８）の前側に配置された第３テンションクラッチ（１８Ａ）によって、第３ベルト（１６）を緊張状態と弛緩状態に切換え、第３テンションクラッチ（１８Ａ）は、前記第１テンションクラッチ（１６Ａ）と連動して切換えられる構成としているので、正転駆動装置（Ａ）の左右方向の幅を小さく形成することができ、また、正転駆動装置（Ａ）と逆転駆動装置（Ｂ）の切換えを容易に行うことができる。
【図面の簡単な説明】
【００１９】
【図１】コンバインの正面図である。
【図２】コンバインの左側面図である。
【図３】コンバインの背面図である。
【図４】刈取前処理装置の回転方向を切換える逆転装置を説明する正面図である。
【図５】第１実施形態の駆動装置を説明する右側面図である。
【図６】第１実施形態の逆転装置を説明する背面図である。
【図７】第２実施形態の駆動装置を説明する右側面図である。
【図８】第２実施形態の逆転装置を説明する右側面図である。
【図９】第２実施形態の連結アームの（Ａ）は正面図、（Ｂ）は平面図である。
【図１０】伝動機構図である。
【図１１】図１０の逆転装置の伝動機構図である。
【図１２】セカンドモア装置を装着したコンバインの左側面図である。
【図１３】セカンドモア装置を装着したコンバインを一部縦断した左側図である。
【図１４】セカンドモア装置を装着した機体フレームの平面図である。
【発明を実施するための形態】
【００２０】
以下、本発明の汎用コンバインについて添付図面を参照しつつ説明する。
図１〜３に示すように、汎用コンバインは、機体フレーム１の下側に土壌面を走行するための左右一対のクローラからなる走行装置２が設けられ、機体フレーム１の上側に脱穀・選別を行なう脱穀装置３が設けられ、脱穀装置３の前側に圃場の穀稈を収穫する刈取前処理装置４が設けられている。脱穀装置３で脱穀・選別された穀粒は脱穀装置３の右側に設けられたグレンタンク５に貯留され、貯留された穀粒はグレンタンク５の後側に設けられた排出筒７によって外部へ排出される。また、グレンタンク５の前側には操縦者が搭乗する操縦部６が設けられている。
【００２１】
＜刈取前処理装置＞
刈取前処理装置４は、倒伏した穀稈、大豆やそば等の丈の低い穀稈、油菜や菜の花等の丈の高い穀稈を掻き込む掻込み装置４Ａと、掻込み装置４Ａによって掻き込まれた穀稈の株元を切断する刈刃装置４Ｂと、掻込み装置４Ａによって掻き込まれた穀稈を寄せ集めるオーガ装置４Ｃと、脱穀装置３にオーガ装置４Ｃよって寄せ集められた穀稈を揚上搬送するフィーダハウス４Ｄを備えている。また、オーガ装置４Ｃの上側で絡み合った穀稈を切断するために略上下方向に延在する刈刃装置（図示省略）をオーガ装置４Ｃの側壁に設けることもできる。
【００２２】
掻込み装置４Ａは、オーガ装置４Ｃの全幅とほぼ同一幅に形成され、オーガ装置４Ｃの上側に設けられ、刈刃装置４Ｂは、前部から後部に緩やかに後上がり傾斜して形成され、オーガ装置４Ｃの前下部に設けられている。
【００２３】
オーガ装置４Ｃは、汎用コンバインの機体の全幅とほぼ同一幅に形成され、フィーダハウス４Ｄの前側に設けられ、オーガ装置４Ｃの左右前部には、穀稈を分草する分草体４Ｅが設けられている。また、フィーダハウス４Ｄは、オーガ装置４Ｃと脱穀装置３の間に設けられている。
【００２４】
＜伝動機構＞
次に、刈取前処理装置４の駆動方向である正転・逆転方向を切り替える切換手段２４の構成を理解し易くするために本実施形態の伝動機構について説明する。図１０に示すように、エンジンＥの駆動力である回転は、脱穀装置３、刈取前処理装置４に伝動される第１経路Ｌ１と、走行装置２に伝動される第２経路Ｌ２と、グレンタンク５に伝動される第３経路Ｌ３に分岐して伝動される。
【００２５】
（第１経路Ｌ１）
エンジンＥの回転は、エンジンＥのクランク軸１０に装着されたプーリ１０Ｂと、ベルト１１と、プーリ１２Ａを介して脱穀装置３の前側に横架されたカウンタ軸１２に伝動される。なお、ベルト１１には、脱穀装置３等へのエンジンＥの回転の伝動の接続と接続を解除するテンションクラッチ１１Ａが設けられている。
【００２６】
カウンタ軸１２に伝動された回転は、プーリ１２Ａの左側に隣接して装着されているプーリ１２Ｂと、ベルト１３と、プーリ１４Ｃを介して脱穀装置３の前壁に装着されているギヤボックス１５に左端部が軸装されたカウンタ軸１４に伝動される。また、カウンタ軸１２に伝動された回転は、カウンタ軸１２の左端部に装着されているプーリ１２Ｃ等を介して、脱穀装置３の下部に設けられた選別室３Ｂの唐箕、受樋に伝動される。
【００２７】
図１１に示すように、カウンタ軸１４に伝動された回転は、カウンタ軸１４の右端部に装着されているプーリ（請求項の「第１プーリ」）１４Ａと、ベルト（請求項の「第１ベルト」）１６を介して、ブラケット４０の上部に横架された入力側支軸２１に回転自在に装着されている入力側プーリ２１Ａに伝動される。なお、ベルト１６には、入力側プーリ２１Ａへのカウンタ軸１４の回転の伝動の接続と接続を解除するテンションクラッチ（請求項の「第１テンションクラッチ」）１６Ａが設けられている。
【００２８】
入力側プーリ２１Ａに伝動された回転は、入力側プーリ２１Ａの左面に装着されている入力側ギヤ２１Ｂと、出力側ギヤ２２Ｂを介してブラケット４０の下部に横架された出力側支軸２２に回転自在に装着されている出力側プーリ２２Ａに伝動される。
【００２９】
出力側プーリ２２Ａに伝動された回転は、ベルト（請求項の「第２ベルト」）１７と、プーリ（請求項の「第２プーリ」）２５Ａとを介して刈取前処理装置４のフィーダハウス４Ｄの後部に装着された回転軸２５に伝動される。
【００３０】
カウンタ軸１４に伝動された回転をプーリ１４Ａと、ベルト１６と、入力側プーリ２１Ａと、入力側ギヤ２１Ｂと、出力側ギヤ２２Ｂと、出力側プーリ２２Ａと、ベルト１７と、プーリ２５Ａから構成される逆転駆動装置Ｂを介してフィーダハウス４Ｄの回転軸２５に伝動した場合は、刈取前処理装置４を逆転回転させることができる。これにより、例えば、フィーダハウス４Ｄ内に詰まった穀稈をフィーダハウス４Ｄを逆転回転させてフィーダハウス４Ｄの前側から排出することができる。
【００３１】
カウンタ軸１４に伝動された回転は、プーリ１４Ａの左側に隣接して装着されているプーリ（請求項の「第３プーリ」）１４Ｂと、ベルト１８と、プーリ２５Ａの左側に隣接して装着されているプーリ（請求項の「第４プーリ」）２５Ｂを介してフィーダハウス４Ｄの後部に装着された回転軸１７に伝動される。なお、ベルト（請求項の「第３ベルト」）１８には、刈取前処理装置４にエンジンＥの回転の伝動の接続と接続を解除するテンションクラッチ（請求項の「第３テンションクラッチ」）１８Ａが設けられている。
【００３２】
カウンタ軸１４に伝動された回転をプーリ１４Ｂと、ベルト１８と、プーリ２５Ｂから構成される正転駆動装置Ａを介してフィーダハウス４Ｄの回転軸２５に伝動した場合には、刈取前処理装置４を正転回転させることができる。これにより、掻込み装置４Ａで掻き込まれた穀稈等をフィーダハウス４Ｄによって脱穀装置３に揚上搬送することができる。
【００３３】
また、正転駆動装置Ａは、逆転駆動装置Ｂの左側に並設されている。これにより、正転駆動装置Ａと逆転駆動装置Ｂの配置スペースを低減することができる。また、本明細書においては、正転駆動装置Ａと逆転駆動装置Ｂを総称して切換手段２４と言う。
【００３４】
図１０に示すように、カウンタ軸１４に伝動された回転は、カウンタ軸１４の左端部が軸装されているギヤボックス１５を介して、脱穀装置３の上部に設けられた扱室３Ａの扱胴に伝動される。
【００３５】
回転軸２５に伝動された回転は、回転軸２５の左側部に装着されたプーリ２５Ｃ，２５Ｄを介して刈取前処理装置４のフィーダハウス４Ｄに伝動され、回転軸２５の左端部に装着されたプーリ２５を介して刈取前処理装置４の掻込み装置４Ａ、刈刃装置４Ｂ、オーガ装置４Ｃに伝動される。
【００３６】
（第２経路Ｌ２）
エンジンＥの回転は、プーリ１０Ｂの左側に隣接して装着されたプーリ１０Ｃと、ベルト２６等を介して走行装置２に伝動される。
【００３７】
（第３経路Ｌ３）
エンジンＥの回転は、エンジンＥの右側に延在するクランク軸１０の右端部に装着されたプーリ１０Ａと、ベルト２７と、プーリ２８Ａを介して機体フレーム１に設けられたギヤボックス２９に左端部が軸装されたカウンタ軸２８に伝動される。なお、ベルト２７には、グレンタンク５等へのエンジンＥの回転の伝動の接続と接続を解除するテンションクラッチ２７Ａが設けられている。
【００３８】
カウンタ軸２８に伝動された回転は、カウンタ軸２８の左端部が軸装されているギヤボックス２９を介して、グレンタンク５の底部に設けられた搬送螺旋５Ａ等に伝動される。
【００３９】
＜切換手段＞
次に、正転駆動装置Ａと逆転駆動装置Ｂからなる切換手段２４について説明する。図４に示すように、切換手段２４は、脱穀装置３の前部の右側部に形成された切欠空間３０内に設けられている。これにより、切換手段２４を構成する正転駆動装置Ａと逆転駆動装置Ｂを、脱穀装置３と操縦部６の間に配置することができ、機体の左右方向の幅を抑制することができる。
【００４０】
（第１実施形態の駆動装置）
次に、第１実施形態の切換手段２４について説明する。図５に示すように、脱穀装置３の前壁の前側下部には、フィーダハウス４Ｄの後部を支持する回転軸２５が横架され、回転軸２５の右端部には、プーリ２５Ａが装着され、プーリ２５Ａの左側にはプーリ２５Ｂが装着されている。
【００４１】
脱穀装置３の前壁の前側上部には、ギヤボックス１５に軸着されたカウンタ軸１４が左右方向に延在して設けられ、カウンタ軸１４の右端部には、プーリ１４Ａが装着され、プーリ１４Ａの左側にはプーリ１４Ｂが装着されている。
【００４２】
正転駆動装置Ａを構成するプーリ１４Ｂとプーリ２５Ｂには、ベルト１８が巻回されており、ベルト１８の前側には、ベルト１８を前側から後側に向かって押圧するテンションクラッチ１８Ａが設けられている。なお、テンションクラッチ１８Ａは、ベルト１８に当接するローラ３２Ａと先端部にローラ３２Ａを回転自在に支持するアーム３２Ｂから形成されている。
【００４３】
アーム３２Ｂの基部は、脱穀装置３の前壁に設けられたブラケット３１に回転自在に装着されており、アーム３２Ｂの基部には、ローラ３２Ａをベルト１８に向かって押圧するためにスプリング３３が装着されている。なお、テンションクラッチ１８Ａの操作は、操作レバー（図示省略）によって行うことができる。切換手段２４の正転駆動装置Ａを停止して逆転駆動装置Ｂを駆動してフィーダハウス４Ｄの回転軸２５を逆転回転させる場合は、操作レバーを操作してローラ３２Ａをベルト１８から離間させてベルト１８のテンションを弛緩する。一方、切換手段２４の逆転駆動装置Ｂを停止して正転駆動装置Ａを駆動してフィーダハウス４Ｄの回転軸２５を正転回転させる場合は、操作レバーを操作してローラ３２Ａをベルト１８に押圧させてベルト１８のテンションを緊張させる。なお、操作レバーを後述する操作レバー４２の移動に連動させて移動させるのが好適である。
【００４４】
切欠空間３０を形成する脱穀装置３の前部の右壁の上部には、逆転駆動装置Ｂを構成するブラケット４０が設けられ、ブラケット４０の上部には、入力側支軸２１の左端部が固定され、ブラケット４０の下部には、出力側支軸２２の左端部が固定されている。
【００４５】
図６に示すように、左右方向に延在する入力側支軸２１の右側には入力側プーリ２１Ａが回転自在に装着され、入力側プーリ２１Ａの左面には入力側ギヤ２１Ｂがボルト等の締結手段によって着脱自在に固定されている。同様に、左右方向に延在する出力側支軸２２の右側には出力側プーリ２２Ａが回転自在に装着され、出力側プーリ２２Ａの左面には出力側ギヤ２２Ｂがボルト等の締結手段によって着脱自在に固定されている。これにより、入力側プーリ２１Ａに巻回されるベルト１６と、出力側プーリ２２Ａに巻回されるベルト１７の交換を容易に行うことができる。
【００４６】
プーリ１４Ａと入力側プーリ２１Ａには、ベルト１６が巻回されており、ベルト１６の下側には、ベルト１６を下側から上側に向かって押圧するテンションクラッチ１６Ａが設けられている。なお、テンションクラッチ１６Ａは、ベルト１６に当接するローラ４１Ａと先端部にローラ４１Ａを回転自在に支持するアーム３２Ｂから形成されている。
【００４７】
アーム４１Ｂの基部は、入力側支軸２１に回転自在に装着されている。側面視においてアーム４１Ｂは、略三角形状に形成され三角形状の頂部には、テンションクラッチ１６Ａの接続及び接続の解除を操作する操作レバー４２の基部が固定されている。切換手段２４の正転駆動装置Ａを停止して逆転駆動装置Ｂを駆動してフィーダハウス４Ｄの回転軸２５を逆転回転させる場合は、操作レバー４２を後側に回動させてローラ４１Ａをベルト１６に押圧させてベルト１６のテンションを緊張させる。一方、切換手段２４の逆転駆動装置Ｂを停止して正転駆動装置Ａを駆動してフィーダハウス４Ｄの回転軸２５を正転回転させる場合は、操作レバー４２を前側に回動させてローラ４１Ａをベルト１６から離間させてベルト１６のテンションを弛緩する。
【００４８】
操作レバー４２を後側に移動させてアーム４１Ｂを入力側支軸２１を中心として反時計方向に回動させるとローラ４１Ａがベルト１６を上側に押圧してベルト１６のテンションを緊張させることによりベルト１６を介してプーリ１４Ａの回転を入力側プーリ２１Ａに伝動させることができる。一方、操作レバー４２を前側に移動させてアーム４１Ｂを入力側支軸２１を中心として時計方向に回動させるとローラ４１Ａがベルト１６から離間してベルト１６のテンションは弛緩してベルト１６を介してプーリ１４Ａの回転は入力側プーリ２１Ａに伝動されなくなる。
【００４９】
入力側ギヤ２１Ｂと出力側ギヤ２２Ｂは、相互に噛み合っている。これにより、入力側プーリ２１Ａに伝動された回転は、入力側ギヤ２１Ｂと、出力側ギヤ２２Ｂとを介して出力側プーリ２２Ａに伝動される。また、第１実施形態の切換手段２４においては、入力側ギヤ２１Ｂの歯数と出力側ギヤ２２Ｂの歯数を同一の歯数にしているが、出力側ギヤ２２Ｂの歯数を入力側ギヤ２１Ｂの歯数の２〜３倍に設定するのが好適である。これにより、フィーダハウス４Ｄの回転軸２５の逆転回転時の回転速度を低速、高トルクにすることができ、例えば、フィーダハウス４Ｄに詰まった穀稈をフィーダハウス４Ｄの前側に移送して容易に取り除くことができる。
【００５０】
出力側プーリ２２Ａとプーリ２５Ａには、ベルト１７が巻回されており、ベルト１７の下側には、ベルト１７を下側から上側に向かって押圧してベルト１７に所定の緊張を与えるテンションアーム１７Ｂが設けられている。なお、テンションアーム１７Ｂは、ベルト１７に当接するローラ４３Ａと先端部にローラ４３Ａを回転自在に支持するアーム４３Ｂから形成されている。
【００５１】
アーム４３Ｂの基部は、出力側支軸２２に回転自在に装着されており、アーム４３Ｂの基部には、ローラ４３Ａをベルト１８に下側から上側に向かって押圧するためにスプリン４８が装着されている。
【００５２】
テンションクラッチ１６Ａを構成するアーム４１Ｂの先端部には、操作ワイヤ４５の前端部が回転自在に装着されている。操作ワイヤ４５の後端部は、操作部６に設けられたスロットルレバー（図示省略）の基部に装着されている。また、入力側支軸２１と出力側支軸２２には、先端部に操作ワイヤ４５の中間部を案内する案内ローラ４６Ａを回転自在に支持するアーム４６Ｂの基部が固定されており、アーム４６Ｂの先端部における案内ローラ４６Ａの下側における部位には、ピン４６Ｃが立設されている。これにより、アーム４６Ｂ介して入力側支軸２１と出力側支軸２２の右側部が連結されて入力側支軸２１と出力側支軸２２の変形を防止することができる。また、案内ローラ４６Ａからの操作ワイヤ４５の脱落を防止することができる。なお、スロットルレバーは、エンジンＥの駆動力である回転数の増減を行うレバーである。
【００５３】
操作レバー４２を後側に移動させてアーム４１Ｂを入力側支軸２１を中心として反時計方向に回動させてベルト１６のテンションを緊張させた状態においては、操作ワイヤ４５の前端部は上側に移動してスロットルレバーの基部を前側に移動してエンジンＥの回転を低速にする。これにより、フィーダハウス４Ｄの回転軸２５の逆転回転時の回転速度を低速、高トルクにすることができ、例えば、フィーダハウス４Ｄに詰まった穀稈をフィーダハウス４Ｄの前側に移送して容易に取り除くことができる。
【００５４】
（第２実施形態の駆動装置）
次に、第２実施形態の切換手段２４について説明する。なお、第１実施形態の切換手段２４と同一部品には同一符号を付して説明を省略する。
【００５５】
図７に示すように、切欠空間３０を形成する脱穀装置３の前部の右壁の上部には、逆転駆動装置Ｂを構成するブラケット４０が設けられ、ブラケット４０の上部には、入力側支軸２１の左端部が固定され、ブラケット４０の下部には、出力側支軸２２の左端部が固定されている。
【００５６】
図８に示すように、左右方向に延在する入力側支軸２１の右側には入力側プーリ２１Ａが回転自在に装着され、入力側プーリ２１Ａの左面には入力側ギヤ２１Ｂがボルト等の締結手段によって着脱自在に固定されている。同様に、左右方向に延在する出力側支軸２２の右側には出力側プーリ２２Ａが回転自在に装着され、出力側プーリ２２Ａの左面には出力側ギヤ２２Ｂがボルト等の締結手段によって着脱自在に固定されている。これにより、入力側プーリ２１Ａに巻回されるベルト１６と、出力側プーリ２２Ａに巻回されるベルト１７の交換を容易に行うことができる。
【００５７】
プーリ１４Ａと入力側プーリ２１Ａには、ベルト１６が巻回されており、ベルト１６の下側には、ベルト１６を下側から上側に向かって押圧するテンションクラッチ１６Ａが設けられている。なお、テンションクラッチ１６Ａは、ベルト１６に当接するローラ４１Ａと先端部にローラ４１Ａを回転自在に支持するアーム３２Ｂから形成されている。
【００５８】
アーム４１Ｂの基部は、入力側支軸２１に回転自在に装着されている。側面視においてアーム４１Ｂは、略三角形状に形成され三角形状の頂部には、テンションクラッチ１６Ａの接続及び接続の解除を操作する操作レバー４２の基部が固定されている。
【００５９】
入力側ギヤ２１Ｂと出力側ギヤ２２Ｂは、相互に噛み合っている。これにより、入力側プーリ２１Ａに伝動された回転は、入力側ギヤ２１Ｂと、出力側ギヤ２２Ｂとを介して出力側プーリ２２Ａに伝動される。また、第２実施形態の切換手段２４においては、出力側ギヤ２２Ｂの歯数を入力側ギヤ２１Ｂの歯数に対して２倍に設定している。これにより、出力側ギヤ２２Ｂの回転数は、入力側ギヤ２１Ｂの回転数に対して１／２になり、出力側ギヤ２２Ｂの外周部に発生するトルクは、入力側ギヤ２１Ｂの外周部に発生するトルクに対して２倍になり、フィーダハウス４Ｄの回転軸２５の逆転回転時の回転速度を低速、高トルクにすることができ、例えば、フィーダハウス４Ｄに詰まった穀稈をフィーダハウス４Ｄの前側に移送して容易に取り除くことができる。
【００６０】
出力側プーリ２２Ａとプーリ２５Ａには、ベルト１７が巻回されており、ベルト１７の下側には、ベルト１７を下側から上側に向かって押圧してベルト１７に所定の緊張を与えるテンションクラッチ（請求項の「第２テンションクラッチ」）１７Ａが設けられている。なお、テンションクラッチ１７Ａは、ベルト１７に当接するローラ４４Ａと先端部にローラ４４Ａを回転自在に支持するアーム４４Ｂから形成されている。
【００６１】
アーム４４Ｂの基部は、出力側支軸２２に回転自在に装着されている。側面視においてアーム４４Ｂは、略三角形状に形成されている。アーム４１Ｂの先端部におけるローラ４１Ａを支持する後側の部位と、アーム４４Ｂの先端部におけるローラ４４Ａを支持する前側の部位は、連結アーム５０で連結されている。これにより、操作レバー４２の回動に連動してテンションクラッチ１７Ａのアーム４４Ｂが出力側支軸２２を中心として上下に移動する。
【００６２】
図９に示すように、連結アーム５０は、連結棒５０Ａと連結棒５０Ａの長手方向に直交する上下の係合ピン５０Ｂから形成されている。上側の係合ピン５０Ｂは、アーム４１Ｂの先端部に形成された開口部に右側から左側に向けて挿入され、下側の係合ピン５０Ｂは、アーム４４Ｂの先端部に形成された開口部に右側から左側に向けて挿入される。
【００６３】
切換手段２４の正転駆動装置Ａを停止して逆転駆動装置Ｂを駆動してフィーダハウス４Ｄの回転軸２５を逆転回転させる場合は、操作レバー４２を後側に回動させてローラ４１Ａをベルト１６に押圧させてベルト１６のテンションを緊張させると共に、ローラ４４Ａをベルト１７に押圧させてベルト１７のテンションを緊張させる。一方、切換手段２４の逆転駆動装置Ｂを停止して正転駆動装置Ａを駆動してフィーダハウス４Ｄの回転軸２５を正転回転させる場合は、操作レバー４２を前側に回動させてローラ４１Ａをベルト１６から離間させてベルト１６のテンションを弛緩させると共に、ローラ４４Ａをベルト１７から離間させてベルト１７のテンションを弛緩させる。すなわち、ブラケット４０と、アーム４１Ｂと、アーム４４Ｂと、連結アーム５０により４節リンクを構成し、操作レバー４２の移動に伝動して、アーム４１Ｂが入力側支軸２１を中心として揺動し、アーム４４Ｂが出力側支軸２２を中心として揺動する両てこ機構を形成する。
【００６４】
操作レバー４２を後側に移動させてアーム４１Ｂを入力側支軸２１を中心として反時計方向に回動させるとローラ４１Ａがベルト１６を上側に押圧してベルト１６のテンションを緊張させることによりベルト１６を介してプーリ１４Ａの回転を入力側プーリ２１Ａに伝動させることができる。一方、操作レバー４２を前側に移動させてアーム４１Ｂを入力側支軸２１を中心として時計方向に回動させるとローラ４１Ａがベルト１６から離間してベルト１６のテンションは弛緩してベルト１６を介してプーリ１４Ａの回転は入力側プーリ２１Ａに伝動されなくなる。
【００６５】
また、操作レバー４２を後側に移動させてアーム４４Ｂを出力側支軸２２を中心として反時計方向に回動させるとローラ４４Ａがベルト１７を上側に押圧してベルト１７のテンションを緊張させることによりベルト１７を介して出力側プーリ２２Ａの回転をプーリ２５Ａに伝動させることができる。一方、操作レバー４２を前側に移動させてアーム４４Ｂを出力側支軸２２を中心として時計方向に回動させるとローラ４４Ａがベルト１７から離間してベルト１７のテンションは弛緩してベルト１７を介して出力側プーリ２２Ａの回転はプーリ２５Ａに伝動されなくなる。
【００６６】
テンションクラッチ１７Ａを構成するアーム４４Ｂを支持する先端部には、操作ワイヤ４５の前端部が回転自在に装着されている。操作ワイヤ４５の後端部は、操作部６に設けられたスロットルレバー（図示省略）の基部に装着されている。
【００６７】
操作レバー４２を後側に移動させてアーム４４Ｂを出力側支軸２２を中心として反時計方向に回動させると操作ワイヤ４５の前端部は上側に移動してスロットルレバーの基部を前側に移動してエンジンＥの回転を低速にする。これにより、フィーダハウス４Ｄの回転軸２５の逆転回転時の回転速度をさらに低速、高トルクにすることができ、例えば、フィーダハウス４Ｄに詰まった穀稈をフィーダハウス４Ｄの前側に移送して容易に取り除くことができる。
【００６８】
＜セカンドモア装置＞
次に、セカンドモア装置について説明する。図１２〜１４に示すように、刈取前処理装置４の下側には、刈刃装置４Ｂで切断された穀稈等の切株（残稈）の背丈の長さを短くするために、セカンドモア装置９０が設けられている。
【００６９】
セカンドモア装置９０は、刃長が長いフィンガ状の固定刃９２と、固定刃９２の後部に設けられたプレート９３と、固定刃９２とプレート９３の間に形成された溝を左右方向に摺動する可動刃９１から構成されている。
【００７０】
プレート９３は、連結アーム９３Ｂによって後側プレート９３Ａに固定され、後側プレート９３Ａは、機体フレーム１の前部の左側に設けられた第１昇降フレーム９５と、中間部に設けられた第２昇降フレーム９６と、右側に設けられた第３昇降フレーム９７によって支持されている。なお、プレート９３は、連結フレーム９３Ｂの前部に対して上下方向、前後方向に調整ができるのが好適である。
【００７１】
第１昇降フレーム９５と第２昇降フレーム９６の前後方向の中間部には補強フレーム９４が横設されている。これにより、第１昇降フレーム９５と第２昇降フレーム９６の剛性が高まり、第１昇降フレーム９５と第２昇降フレーム９６の変形を防止することができる。
【００７２】
側面視において第１昇降フレーム９５は、後部から前部に向かって直線状に形成され、側面視において第２昇降フレーム９６と第３昇降フレーム９７は、走行装置３の駆動軸を迂回するために、後部から前部に向かって直線に延在した後、駆動軸の前側で下向きに湾曲状に湾曲して形成されている。また、第１昇降フレーム９５の右面には、第１昇降フレーム９５を刈取前処理装置４のフィーダハウス４Ｄの左壁に吊り下げる吊上げガイド９８が設けられている。これにより、フィーダハウス４Ｄの昇降に連動させてセカンドモア装置９０を昇降にさせることができる。
【産業上の利用可能性】
【００７３】
本発明は、汎用コンバインの刈取前処理装置の切換手段に利用できるものである。
【符号の説明】
【００７４】
３          脱穀装置
４          刈取前処理装置
４Ｄ        フィーダハウス
１４        カウンタ軸
１４Ａ      プーリ（第１プーリ）
１４Ｂ      プーリ（第３プーリ）
１５        ギヤボックス
１６        ベルト（第１ベルト）
１６Ａ      テンションクラッチ（第１テンションクラッチ）
１７        ベルト（第２ベルト）
１７Ａ      テンションクラッチ（第２テンションクラッチ）
１７Ｂ      テンションアーム
１８        ベルト（第３ベルト）
１８Ａ      テンションクラッチ（第３テンションクラッチ）
２１        入力側支軸
２１Ａ      入力側プーリ
２１Ｂ      入力側ギヤ
２２        出力側支軸
２２Ａ      出力側プーリ
２２Ｂ      出力側ギヤ
２４        切換手段
２５        回転軸
２５Ａ      プーリ（第２プーリ）
２５Ｂ      プーリ（第４プーリ）
３０        切欠空間
５０        連結アーム
Ａ        正転駆動装置
Ｂ        逆転駆動装置
Ｅ        エンジン
【図１】
2016182064.tif 000003
【図２】
2016182064.tif 000004
【図３】
2016182064.tif 000005
【図４】
2016182064.tif 000006
【図５】
2016182064.tif 000007
【図６】
2016182064.tif 000008
【図７】
2016182064.tif 000009
【図８】
2016182064.tif 000010
【図９】
2016182064.tif 000011
【図１０】
2016182064.tif 000012
【図１１】
2016182064.tif 000013
【図１２】
2016182064.tif 000014
【図１３】
2016182064.tif 000015
【図１４】
2016182064.tif 000016